(57)【要約】使用時に外れにくくかつ着脱が容易な電源ユニットを備えた電子眼鏡を提供する。テンプル（１６）先端部の収容室（１６２）に電源ユニット（１８）を着脱自在に装着する電子眼鏡（１）であって、電源ユニット（１８）は、前端から後端に向かって、電気接続端子（１８０）と、第１の電池（１８８Ａ）を保持し平面視円弧状の側面（１８２０）を有する第１筐体部（１８２）と、円弧状の側面（１８２０）に接続しかつこの側面よりも幅狭の側面（１８４０）を有する幅狭部（１８４）と、幅狭の側面（１８４０）に接続する側面（１８６０）を有し第２の電池（１８８Ｂ）を保持する第２筐体部（１８６）と、を備え、収容室（１６２）は、弾性変形して電源ユニット（１８）の幅狭部（１８４）に嵌合する突出部（１６２０Ｂ）を有する。
2017110908.tif 000002
【特許請求の範囲】
【請求項１】
テンプル先端部の収容部に電源ユニットが着脱されるアイウェアであって、
前記収容部は、弾性変形して前記電源ユニットに嵌合する突出部を備え、
前記電源ユニットは、電気接続端子と、電池を収容する筐体部と、を備え、
前記筐体部に、前記電源ユニットが前記収容部に装着された際に前記突出部が嵌合する幅狭部が設けられている、アイウェア。
【請求項２】
前記電源ユニットが前記収容部に装着された状態において、前記筐体部の側面は前記突出部により覆われ、前記電源ユニットが前記収容部に挿入される方向における前記電源ユニットの前記筐体部の後面及び前記後面に隣接する上面は露出して前記テンプルの表面の一部を形成する、請求項１に記載のアイウェア。
【請求項３】
前記電源ユニットが前記収容部に装着された状態において露出される前記筐体部の前記上面は、前記テンプルの内側表面の一部を形成する、請求項２に記載のアイウェア。
【請求項４】
前記筐体部の前記上面には、幅方向に延びる凹部又は凸部が設けられている、請求項２又は３に記載のアイウェア。
【請求項５】
前記筐体部は、第１の電池を保持し平面視円弧状の側面を有する第１筐体部と、第２の電池を保持する第２筐体部と、を有し、
前記幅狭部は、前記第１筐体部の前記側面に接続しかつ前記側面よりも幅狭の側面を有する、請求項１から４の何れか一項に記載のアイウェア。
【請求項６】
前記電源ユニットの厚みは、前記第１筐体部から前記第２筐体部に向かって徐々に大きくなる、請求項５に記載のアイウェア。
【請求項７】
前記第２筐体部の側面の幅は、前記幅狭部の側面の幅よりも大きい、請求項５又は６に記載のアイウェア。
【請求項８】
前記第１の電池は、ボタン電池である、請求項５から７の何れか一項に記載のアイウェア。
【請求項９】
前記電気接続端子は、所定の間隔をおいて２つ設けられており、
２つの前記電気接続端子の間には、所定の高さを有する凸部が設けられている、請求項１から８の何れか一項に記載のアイウェア。
【請求項１０】
前記凸部は、前記電源ユニットの前端から前記筐体部の側面の前部にかけて延在し、前記前部に当接又は固着される、請求項９に記載のアイウェア。
【請求項１１】
テンプル先端部の収容室に電源ユニットを着脱自在に装着する電子眼鏡であって、
前記電源ユニットは、前端から後端に向かって、電気接続端子と、第１の電池を保持し平面視円弧状の側面を有する第１筐体部と、前記円弧状の側面に接続しかつ前記円弧状の側面よりも幅狭の側面を有する幅狭部と、前記幅狭の側面に接続する側面を有し第２の電池を保持する第２筐体部と、を備え、
前記収容室は、弾性変形して前記電源ユニットの幅狭部に嵌合する突出部を有する、電子眼鏡。
【請求項１２】
前記電源ユニットの厚みは、前記第１筐体部から前記第２筐体部に向かって徐々に大きくなる、請求項１１に記載の電子眼鏡。
【請求項１３】
前記第１筐体部の上面に、幅方向に延びる凹部又は凸部を有する、請求項１２に記載の電子眼鏡。
【請求項１４】
前記第２筐体部の側面の幅は、前記幅狭部の側面の幅よりも大きい、請求項１１から１３の何れか一項に記載の電子眼鏡。
【請求項１５】
前記第１の電池は、ボタン電池である、請求項１１から１４の何れか一項に記載の電子眼鏡。
【発明の詳細な説明】
【技術分野】
【０００１】
本発明は、電子眼鏡に関する。
【背景技術】
【０００２】
電子眼鏡は、通常小型の電池によって給電される。電池は動作時間が限られているので、電子眼鏡の使用者は、電池を定期的に取り替えるか又は充電する必要がある。例えば、特許文献１及び２では、電子眼鏡のテンプルの先端に充電用の二次電池を設けることが提案されている。
【先行技術文献】
【特許文献】
【０００３】
【特許文献１】特開２００４−２４５９００号公報
【特許文献２】特開２００７−５２１１６号公報
【発明の概要】
【発明が解決しようとする課題】
【０００４】
しかしながら、特許文献１及び２に記載の従来の電子眼鏡においては、電池はいずれも眼鏡のテンプル内に組み込まれており、充電の際には、眼鏡ごと眼鏡ホルダ（特許文献１：図７）やクレードル（特許文献２：図７）に設けられた給電端子に接続させる必要がある。そのため眼鏡をかけた状態では充電ができない。一方で、眼鏡本体から着脱可能な電源ユニットに充電用の電池を設けるとすると、眼鏡の着用時にこの電源ユニットが外れてしまうおそれがある。かといってこの電源ユニットを眼鏡本体に例えばネジ等で固定すると今度は電源ユニットの着脱が不便になってしまう。【０００５】
本発明は、以上の背景に鑑みてなされたものであり、使用時に外れにくくかつ着脱が容易な電源ユニットを備えた電子眼鏡を提供することを目的とする。
【課題を解決するための手段】
【０００６】
上記目的を達成するために、本発明に係る電子眼鏡は、テンプル先端部の収容室に電源ユニットを着脱自在に装着する電子眼鏡であって、電源ユニットは、前端から後端に向かって、電気接続端子と、第１の電池を保持し平面視円弧状の側面を有する第１筐体部と、円弧状の側面に接続しかつ円弧状の側面よりも幅狭の側面を有する幅狭部と、幅狭の側面に接続する側面を有し第２の電池を保持する第２筐体部と、を備え、収容室は、弾性変形して電源ユニットの幅狭部に嵌合する突出部を有するものである。【０００７】
電源ユニットには、第１筐体部と第２筐体部とで合計２つの電池が保持される。電池を保持した状態で、電源ユニットは、電気接続端子が挿入方向前方になるようにしてテンプルの収容室に挿入される。すなわち、第１筐体部が挿入方向前方となり、第２筐体部が挿入方向後方になるようにして、テンプルの収容室に挿入される。【０００８】
第１筐体部の円弧状の側面は幅狭部より幅広なので、電源ユニットの挿入とともに、テンプルの収容室に設けられた突出部は第１筐体部の側面に沿って押し広げられて弾性変形する。このとき、第１筐体部は円弧状の側面を有するので、突出部は当該円弧状の側面形状に沿うようにして徐々に押し広げられる。すなわち、突出部が第１筐体部に引っかかってしまうようなことはない。しかも、挿入に伴って第一筐体部の幅が最大になる部位が収容室の突出部を超えると、突出部は弾性力により元の形状に戻ろうとし第一筐体部の円弧状の側面を押圧する。これにより、電源ユニットに対して挿入方向に押しこむ力が働く。これにより、電源ユニットの幅狭部をテンプルの収容室との嵌合位置（突出部）まで移動させる動作をよりスムースに行うことができる。【０００９】
電源ユニットが嵌合位置まで挿入されると、収容室の突出部が弾性力により元の形状に戻って電源ユニット筐体の幅狭部に嵌合する。これにより、電源ユニットはテンプルの収容室にしっかりと固定される。幅狭部が収容室の突出部といったん嵌合すると、第１筐体部の円弧状の側面は幅狭部より幅広なので、収容室の突出部を弾性変形させて押し広げる力を加えないかぎり、電源ユニットは挿入方向と逆方向には移動しない。そのため、テンプルの収容室に装着された電源ユニットが簡単に外れてしまうことはない。すなわち、電子眼鏡の使用中に電源ユニットが抜け落ちてしまうことを抑制できる。【００１０】
また電源ユニットを充電等のためにテンプルの収容室から取り外す際は、電源ユニットを取り外し方向（挿入方向と逆方向）に移動させることで収容室の突出部を第１筐体部の側面にそって弾性変形させて押し広げる。このとき、第１筐体部は円弧状の側面を有するので、突出部は当該円弧状の側面形状に沿うようにして徐々に押し広げられる。すなわち、突出部が第１筐体部に引っかかってしまうようなことはないので、電源ユニットをテンプルから取り外す動作をスムースに行うことができる。【００１１】
なお、本発明において、電子眼鏡とは、電力の供給を受けて眼鏡に対して何らかの電気的な動作・制御を行う眼鏡を広く含み、例えば、眼鏡のレンズとして電気活性レンズを用いて、電力の印加・除去によりレンズの屈折率を変化させる眼鏡や、カメラ、センサ又は通信機能等を内蔵して電力の供給を受けてこれらの駆動を制御する眼鏡を含む。【００１２】
また、本発明に係るアイウェアは、テンプル先端部の収容部に電源ユニットが着脱されるアイウェアであって、収容部は、弾性変形して電源ユニットに嵌合する突出部を備え、電源ユニットは、電気接続端子と、電池を収容する筐体部と、を備え、筐体部に、電源ユニットが収容部に装着された際に突出部が嵌合する幅狭部が設けられているものである。【００１３】
本発明に係るアイウェアにおいて、電源ユニットを収容部に装着した際に、筐体部の側面が突出部により覆われるようにすることができる。また、電源ユニットを収容部に装着した際に、電源ユニットが収容部に挿入される方向における電源ユニットの筐体部の後面及び後面に隣接する上面を露出させて、テンプルの表面の一部とすることができる。この際、露出される筐体部の上面を、テンプルの内側表面の一部とすることができる。【００１４】
本発明に係るアイウェアにおいて、筐体部の上面に、幅方向に延びる凹部又は凸部を設けてもよい。【００１５】
上記構成によれば、筐体部の上面に幅方向に延びる凹部又は凸部を設けているので、ユーザは、この凹部又は凸部に指をかけて電源ユニットを収容室から引き出すことができる。【００１６】
本発明に係るアイウェアにおいて、第１の電池を保持し平面視円弧状の側面を有する第１筐体部と、第２の電池を保持する第２筐体部と、を有する筐体部を採用することができる。かかる場合において、幅狭部は、第１筐体部の側面に接続しかつこの側面よりも幅狭の側面を有することができる。そして、電源ユニットの厚みを、第１筐体部から第２筐体部に向かって徐々に大きくすることができる。【００１７】
上記構成によれば、電源ユニットの上面は第１筐体部から第２筐体部に向かって厚みが大きくなるように傾斜している。そのため電源ユニットを収容室から取り外す際にはこの傾斜面に指をかけることで引き出し方向の力がかけやすくなり、電源ユニットをよりスムースに取り外すことができる。【００１８】
本発明に係るアイウェアにおいて、第２筐体部の側面の幅を、幅狭部の側面の幅よりも大きくすることができる。【００１９】
上記構成によれば、電源ユニットをテンプルの収容室に装着した際には、第１筐体部と第２筐体部とで収容室の突出部を挟む形となるので、電源ユニットを挿入方向及び取り外し方向双方において固定できる。そのため電源ユニットはより確実に収容室に保持される。【００２０】
本発明に係るアイウェアにおいて、第１の電池を、ボタン電池とすることができる。【００２１】
上記構成によれば、平面視円弧状の第１筐体部が、平面視円形のボタン電池を収容することになるので、第１筐体部内のスペースを有効利用できる。【００２２】
本発明に係るアイウェアにおいて、所定の間隔をおいて電気接続端子を２つ設け、これら２つの電気接続端子の間に所定の高さを有する凸部を設けることができる。この際、電源ユニットの前端から筐体部の側面の前部にかけて凸部を延在させ、この前部に凸部を当接又は固着させることができる。【００２３】
上記構成によれば、２つの電気接続端子の間に凸部を設けることにより、電気接続端子に誤って液体物（例えばユーザの汗等）が流れ込んだ場合に電気接続端子間が液体物で導通することによりショートするといった問題を解決することが可能である。また、電源ユニットの前端から筐体部の側面の前部にかけて凸部を延在させ、この前部に凸部を当接又は固着させることにより、筐体部と凸部との間に隙間が形成されるのを防ぐことができ、電気接続端子間における液体物の流通を阻止することができる。
【発明の効果】
【００２４】
本発明によれば、着脱が容易かつ使用時に外れにくい電源ユニットを備えた電子眼鏡を提供することができる。
【図面の簡単な説明】
【００２５】
【図１】本発明の実施形態に係る電子眼鏡の前方斜視図である。
【図２】本発明の実施形態に係る電子眼鏡の正面図である。
【図３】本発明の実施形態に係る電子眼鏡の背面図である。
【図４】本発明の実施形態に係る電子眼鏡の平面図である。
【図５】本発明の実施形態に係る電子眼鏡の底面図である。
【図６】本発明の実施形態に係る電子眼鏡の右側面図である。
【図７】本発明の実施形態に係る電子眼鏡の左側面図である。
【図８】本発明の実施形態に係る電子眼鏡の電源ユニットをテンプルから取り外した状態を示す図である。
【図９】本発明の実施形態に係る電子眼鏡の電源ユニットをテンプルに装着した状態を示す図である。
【図１０】本発明の実施形態に係る電子眼鏡の後方斜視図である。
【図１１】本発明の実施形態に係る電子眼鏡の内部構成を説明するための分解斜視図である。
【図１２】本発明の実施形態に係る電子眼鏡の電源ユニットの斜視図である。
【図１３】本発明の実施形態に係る電子眼鏡の電源ユニットの平面図である。
【図１４】本発明の実施形態に係る電子眼鏡の電源ユニットの右側面図である。
【図１５】本発明の実施形態に係る電子眼鏡の電源ユニットの左側面図である。
【図１６】本発明の実施形態に係る電子眼鏡の電源ユニットの正面図である。
【図１７】本発明の実施形態に係る電子眼鏡の電源ユニットの背面図である。
【図１８】本発明の実施形態に係る電子眼鏡の電源ユニットの底面図である。
【図１９】本発明の実施形態に係る電子眼鏡のテンプルに電源ユニットを装着する方法を説明するための説明図である。
【図２０】本発明の実施形態に係る電子眼鏡のテンプルに電源ユニットを装着した状態を示す拡大図である。
【図２１】本発明の実施形態に係る電子眼鏡の電源ユニットの充電装置（電源ユニット装着前の状態）を示す図である。
【図２２】本発明の実施形態に係る電子眼鏡の電源ユニットの充電装置（電源ユニット装着後の状態）を示す図である。
【図２３】本発明の他の実施形態に係る電源ユニットを示す図であり、（Ａ）は電源ユニットの斜視図、（Ｂ）は電源ユニットの側面図、（Ｃ）は電源ユニットの正面図である。
【図２４】本発明の他の実施形態に係る電子眼鏡の前方斜視図である。
【図２５】本発明の他の実施形態に係る電子眼鏡の背面図である。
【図２６】本発明の他の実施形態に係る電子眼鏡の平面図である。
【図２７】本発明の他の実施形態に係る電子眼鏡の底面図である。
【発明を実施するための形態】
【００２６】
以下、添付の図面を参照しながら、本発明の好適な実施の形態に係る電子眼鏡１を説明する。説明の理解を容易にするため、各図面において同一の構成要素に対しては可能な限り同一の符号を付して、重複する説明は省略する。
【００２７】
（電子眼鏡の全体構成）
はじめに、本発明の実施の形態に係る電子眼鏡１の全体構成について図１〜図１１を用いて説明する。
【００２８】
図１〜図７は本実施形態に係る電子眼鏡１を示すものであり、図１は前方斜視図、図２は正面図、図３は背面図、図４は平面図、図５は底面図、図６は右側面図、図７は左側面図である。図８は、本実施形態に係る電子眼鏡１の電源ユニット１８をテンプル１６から取り外した状態を示す図であり、図９は、本実施形態に係る電子眼鏡１の電源ユニット１８をテンプル１６に装着した状態を示す図である。図１０は、本実施形態に係る電子眼鏡１の後方斜視図であり、図１１は、本実施形態に係る電子眼鏡１の内部構成を説明するための分解斜視図である。
【００２９】
図１０に示すように、電子眼鏡１は、左右のレンズ１０をそれぞれ支持するフレーム１２、ヒンジ１４を介してフレーム１２に接続されるテンプル１６（右テンプル１６Ｒ及び左テンプル１６Ｌ）、テンプル１６に装着される電源ユニット１８（右電源ユニット１８Ｒ、左電源ユニット１８Ｌ）等を備えている。
【００３０】
レンズ１０は、電力の印加及び除去により電気活性材料（例えば液晶材料）の屈折率を調整する電気活性レンズである。本実施形態においては、このような電気活性レンズとしては、累進多焦点レンズに液晶レンズや電極等を配置し、電力の印加及び除去により液晶レンズをオン・オフすることで焦点を切り替える老眼用のレンズが用いられている。すなわち、電子眼鏡１は、老眼用眼鏡として機能する。
【００３１】
図１１に示すように、フレーム１２及び右テンプル１６Ｒの内部には、電子素子２０が収容されている。電子素子２０は、制御モジュール２００、導電性の可撓ケーブル２０２、２０４、電源端子２０６を備えている。なお、図１１に示すように、左テンプル１６Ｌ内には電子素子は設けられていない。
【００３２】
制御モジュール２００は、静電容量タッチセンサ（図示せず）を備え、この静電容量タッチセンサが右テンプル１６Ｒの外側表面の一部に設けられた接触部１６０に対向するようにして配置されている。制御モジュール２００は、ユーザの指等がテンプルの接触部１６０に触れるのを静電容量タッチセンサにより検知して、レンズ１０への通電を制御する。
【００３３】
可撓ケーブル２０２は、制御モジュール２００からヒンジ１４及びヒンジカバー１４Ａ内部を貫通してフレーム１２内部に延び、レンズ１０に設けた電極に対して電気的に接続し、制御モジュールからの電気信号をレンズ１０に伝達する。
【００３４】
可撓ケーブル２０４は、制御モジュール２００からテンプルの先端部に向かって延び、端部には電源端子２０６が接続されている。電源端子２０６は、電源ユニット１８（図１１には図示せず）に電気的に接続可能であって、電源ユニット１８からの電力を制御モジュール２００に伝達する。
【００３５】
テンプル１６は、先端に内部に収容空間を有する収容室（収容部）１６２（右収容室１６２Ｒ、左収容室１６２Ｌ）を備えている。収容室１６２は、電源ユニット１８（右電源ユニット１８Ｒ、左電源ユニット１８Ｌ）の側面形状に合致する嵌合面を有する嵌合部１６２０を備える。収容室１６２は弾性材料（例えばプラスチック）で形成されおり、電源ユニット１８の挿入に従って嵌合部１６２０が弾性変形して電源ユニット１８にスナップフィットして嵌合するようになっている。これにより電源ユニット１８がテンプル１６にしっかりと装着される。
【００３６】
右電源ユニット１８Ｒは、右収容室１６２Ｒに装着されると、電源端子２０６及び可撓ケーブル２０４を介して、制御モジュール２００に電気的に接続し電力を供給する。すなわち、右電源ユニット１８Ｒは、電子眼鏡１の電源として機能する。
【００３７】
一方、左テンプル１６Ｌ内には電子素子は設けられておらず、左電源ユニット１８Ｌは左収容室１６２Ｌへの装着後も電気的に絶縁されている。本実施形態においては、左電源ユニット１８Ｌは右電源ユニット１８Ｒと同一であり、例えば右電源ユニット１８Ｒの充電中は、右電源ユニット１８Ｒの替わりに右テンプル１６Ｒに装着して電源として使用できる。すなわち、左電源ユニット１８Ｌは、電子眼鏡１の予備電源として機能する。
【００３８】
（電源ユニットの構成）
次に図１２〜図１８を用いて電源ユニット１８（右電源ユニット１８Ｒ、左電源ユニット１８Ｌ）の詳細構成について説明する。上述のとおり、本実施形態においては右電源ユニット１８Ｒと左電源ユニット１８Ｌは同一であるので、以下では電源ユニット１８としてまとめて説明する。
【００３９】
図１２〜図１５に示すとおり、電源ユニット１８は、前端から後端に向かって、電気接続端子１８０、第１筐体部１８２、幅狭部１８４及び第２筐体部１８６を備えており、第１筐体部１８２、幅狭部１８４及び第２筐体部１８６は、その内部に２つの充電式のボタン電池１８８Ａ、１８８Ｂ（図１３において点線で示す）を収容する筐体部１８１を構成する。充電式のボタン電池１８８Ａ、１８８Ｂは、例えば、電源ユニット１８の筐体部１８１から取り外して単体で交換可能としてもよいし、また例えば筐体部１８１から取り外しできないようにして電池交換の際は電源ユニット１８ごと交換するようにしてもよい。
【００４０】
電気接続端子１８０は、導電性材料で形成されている。第１筐体部１８２、幅狭部１８４及び第２筐体部１８６は例えばプラスチックで一体的に形成されている。なお、以下の説明では、電源ユニット１８の後端から前端に向かう方向（第２筐体部１８６から電気接続端子１８０に向かう方向）を前方とし、その逆方向を後方という。
【００４１】
電気接続端子１８０は、電源ユニット１８内部に収容されたボタン電池１８８Ａ、１８８Ｂに電気的に接続されるとともに、第１筐体部１８２から前方に向かって延出する。電気接続端子１８０は、電源ユニット１８が右テンプル１６Ｒに装着された際に、電源端子２０６に電気的に接続するように構成されている。
【００４２】
第１筐体部１８２は、内部にボタン電池１８８Ａを保持する。第１筐体部１８２は、平面視で円弧（より詳細には１８０度以上の中心角を有する扇型の円弧）状の側面１８２０を有する。側面１８２０は、円形のボタン電池１８８Ａの側面形状にあわせて形成されており、第１筐体部１８２内部の空間利用効率を高めている。第１筐体部の上面には、幅方向に延びる３つの円弧状の凸部１８２２が設けられている。
【００４３】
図１２から明らかなように、これら３つの円弧状の凸部１８２２は、電源ユニット１８の筐体部１８１の上面のうち、電源ユニット１８がテンプル１６の収容室１６２に挿入される際の挿入方向の前端側（すなわち、電源ユニット１８の筐体１８１の上面のうち電気接続端子１８０が位置する側）に偏って設けられている。また、３つの円弧状の凸部１８２２の幅方向における長さは、後方になるに従って長くなっている。これにより、ユーザの指の比較的広い領域に凸部１８２２を接触させることができるため、電源ユニット１８の収容室１６２からの引き出しを容易にすることができる。
【００４４】
幅狭部１８４は、第１筐体部１８２と第２筐体部１８６と連結する部分であり、第１筐体部１８２の側面１８２０と滑らかに連続する幅狭の側面１８４０を有する。側面１８４０は、第１筐体部１８２及び第２筐体部１８６の側面よりも幅（図１２及び図１３におけるＹ軸方向の長さ）が狭くなっている。
【００４５】
第２筐体部１８６は、内部にボタン電池１８８Ｂを保持する。第２筐体部１８６は、幅狭部１８４の側面１８４０と滑らかに連続する側面１８６０を有する。側面１８６０は、側面１８４０よりも幅が大きく、後方に向かって徐々に幅広になっている。また、第２筐体部の後端には幅方向両側に突出する係合突起１８６４が設けられている。
【００４６】
図１４及び図１５に示すように、電源ユニット１８の厚み（Ｚ軸方向の長さ）は、第１筐体部１８２から第２筐体部１８６に向かって徐々に大きくなる（厚みＤ２が厚みＤ１より大きくなる）ように形成されており、電源ユニット１８の上面１８Ｕは緩やかな傾斜面を構成する。一方、電源ユニット１８の下面１８Ｄは滑らかな平坦面を構成する。
【００４７】
なお、電源ユニット１８の電気接続端子１８０が接合された平坦な部材１８Ｚ（下面１８Ｄを含む部材）の色を、電子眼鏡１の本体（テンプル１６等）や電源ユニット１８の他のプラスチック部材（筐体部１８１を構成する部材）の色と異ならせることができる。例えば、電源ユニット１８の電気接続端子１８０が接合された平坦な部材１８Ｚを特定の色（例えば、赤色、オレンジ色、黄色、緑色、青色、紫色等の有彩色）に着色し、他の部材を平坦な部材１８Ｚの色とは異なる色（例えば、黒色、白色、灰色等の無彩色）に着色することができる。すなわち、平坦な部材１８Ｚと、電源ユニット１８のうち平坦な部材１８Ｚを除いた他の部材と、を異なる色彩にすることができる。また、平坦な部材１８Ｚと、電子眼鏡１の本体のうち平坦な部材１８Ｚを除いた他の部材と、を異なる色彩にすることもできる。
【００４８】
電源ユニット１８を底面から見た図１８に示すように、平坦な部材１８Ｚの一部は電源ユニット１８の底面全体に露出しているため、筐体部１８１などの電源ユニット１８の他の部材が無彩色であったとしても、平坦な部材１８Ｚを有彩色等の特定の色に着色することにより、全体として電源ユニット１８を目立たせることが可能となる。また電源ユニット１８を背面から見た図１７に示すように、平坦な部材１８Ｚの一部は電源ユニット１８の背面に露出しているため、電源ユニット１８がテンプル１６に装着されている状態においても、平坦な部材１８Ｚの色彩がテンプル１６の背面後方から視認可能な状態にある。従って、複数種類の電源ユニット１８を提供する場合に、平坦な部材１８Ｚの色彩を電源ユニット１８の種類に応じて異なる色彩に着色することで、電源ユニット１８の種類を容易に特定することが可能となる。例えば、電源ユニット１８の二次電池の容量や充電特性に応じて平坦な部材１８Ｚの色彩を設定することが可能である。また、電子眼鏡１の本体が複数種類存在し、これに対応する電源ユニット１８が複数種類存在する場合に、電源ユニット１８がいずれの種類の本体に装着可能であるかを識別するための識別子として、平坦な部材１８Ｚの色彩を設定することが可能である。例えば、スポーツ用、読書用、運転用等の複数の用途ごと、あるいは、サングラス機能、焦点調節機能などの複数の機能ごと等、電子眼鏡１の本体の用途や機能に応じて、それぞれ対応する電源ユニット１８を提供し、その対応する用途や機能毎に電源ユニット１８の平坦な部材１８Ｚの色を異なるようにしてもよい。
【００４９】
（電源ユニットの着脱方法）
次に図１９を用いて、電源ユニット１８のテンプル１６への着脱方法について説明する。テンプル１６の収容室１６２の上面には、電源ユニット１８の側面形状に合致する嵌合部１６２０が設けられている。嵌合部１６２０は、電源ユニット１８の側面１８２０、１８４０、１８６０の形状にそれぞれ合致する第１嵌合部１６２０Ａ、突出部１６２０Ｂ、第２嵌合部１６２０Ｃを有している。
【００５０】
上述のとおり、収容室１６２は弾性材料（例えばプラスチック）で形成されおり、電源ユニット１８の挿入に従って嵌合部１６２０が弾性変形して電源ユニット１８にスナップフィットするようになっている。
【００５１】
より具体的には、電源ユニット１８の収容室１６２への挿入とともに、収容室１６２の突出部１６２０Ｂは第１筐体部１８２の側面１８２０に沿って押し広げられて弾性変形する。このとき、突出部１６２０Ｂは滑らかな円弧状の側面１８２０に沿うようにして徐々に押し広げられるので、突出部１６２０Ｂが第１筐体部１８２に引っかかってしまうようなことはない。
【００５２】
挿入に伴って第１筐体部１８２の幅が最大になる部位Ｐ（第１筐体部１８２の径を画定する２点）が収容室１６２の突出部１６２０Ｂを超えると、今度は突出部１６２０Ｂが弾性力により元の形状に戻ろうとし、第１筐体部１８２の側面１８２０を押圧する。これにより、電源ユニット１８を挿入方向（図１９中矢印Ａ）に押しこむ力が働く。
【００５３】
さらに挿入を続けると、収容室１６２の突出部１６２０Ｂが弾性力により元の形状に戻って幅狭部１８４の側面１８４０に嵌合する。このとき、収容室１６２の突出部１６２０Ｂは、第１筐体部１８２の側面１８２０と第２筐体部１８６の側面１８６０とで挟まれる形になる。そのため、嵌合部１６２０の突出部１６２０Ｂを弾性変形させて押し広げる力を加えないかぎり、電源ユニット１８は移動しない。これにより、テンプル１６の収容室１６２に装着された電源ユニット１８が簡単に外れてしまうことはなく、電子眼鏡１の使用中に電源ユニット１８が抜け落ちてしまうことを抑制できる。
【００５４】
図２０に示すように電源ユニット１８が収容室１６２に装着された状態においては、電源ユニット１８の筐体部１８１の側面１８２０、１８４０、１８６０は収容室１６２の嵌合部１６２０（第１嵌合部１６２０Ａ、突出部１６２０Ｂ、第２嵌合部１６２０Ｃ）により覆われ、電源ユニット１８が収納室１６２に挿入される方向における電源ユニット１８の筐体部１８１の後面及び後面に隣接する上面は露出して、テンプル１６の表面の一部を形成する。このように、電源ユニット１８が収容室１６２に装着された状態においては、電源ユニット１８の筐体部１８１の後面及び上面がテンプル１６の表面の一部を形成するようになっている。この際、筐体部１８１の上面は、テンプル１６の内側表面（ユーザが電子眼鏡１を装着した状態においてユーザ側に位置する面）の一部を形成する。
【００５５】
電源ユニット１８を充電等のためにテンプル１６の収容室１６２から取り外す際は、第１筐体部１８２の上面の凸部１８２２に指をかけて、挿入方向とは逆方向に電源ユニット１８を引き出す。ここで、電源ユニット１８の上面１８Ｕは第１筐体部１８２から第２筐体部１８６に向かって厚みが大きくなるように傾斜しているので、第１筐体部に指をかけることで引き出し方向に向かう力がよりかけやすくなっている。
【００５６】
電源ユニット１８を挿入方向と逆方向に移動させると、嵌合部１６２０の突出部１６２０Ｂは、第１筐体部１８２の側面１８２０にそって弾性変形し押し広げられる。このとき、突出部１６２０Ｂは滑らかな円弧状の側面１８２０に沿うようにして徐々に押し広げられるので、突出部１６２０Ｂが第１筐体部１８２に引っかかってしまうようなことはない。従って、電源ユニット１８を取り外す動作もスムースに行うことができる。
【００５７】
（電源ユニットの充電方法）
次に図２１及び図２２を用いて、電源ユニット１８の充電方法を説明する。電源ユニット１８は、例えば、図２１及び図２２に示すようなＵＳＢ型の充電器３に装着して充電が可能である。図２１は、電源ユニット１８の装着前の充電器３の状態であり、図２２は、電源ユニット１８を装着した充電器３の状態を示す。
【００５８】
充電器３は、弾性材料（例えばプラスチック）で形成された収容室３０を備えており、収容室３０には、電源ユニット１８の第１筐体部１８２、幅狭部１８４及び第２筐体部１８６の側面形状に合致する（すなわちテンプル１６の収容室１６２に設けられた嵌合部１６２０と同一形状の）嵌合部３０Ａが設けられている。これにより、電源ユニット１８の充電器３への挿入及び取り外しは、上記テンプル１６への挿入及び取出しと同様にスムースに行うことができる。また電源ユニット１８は、いったん装着すれば充電器３から簡単に外れてしまうことはない。
【００５９】
（変形例）
以上本発明の実施形態を示したが、本発明はこれらの実施の形態に限定されるものではなく、その要旨を逸脱しない範囲内において様々な態様での実施が可能である。
【００６０】
例えば、図２３（Ａ）〜（Ｃ）に示すように、２つの電気接続端子１８０の間に、所定の高さ（例えば、電源ユニット１８の高さの約半分の高さ）を有する凸部２０００を設けることができる。このように２つの電気接続端子１８０の間に凸部２０００を設けることにより、電気接続端子１８０に誤って液体物（例えばユーザの汗等）が流れ込んだ場合に電気接続端子１８０間が液体物で導通することによりショートするといった問題を解決することが可能である。凸部２０００は、電源ユニット１８の前端から第１筐体部１８２の側面１８２０の前部にかけて延在し、側面１８２０の前部に当接又は固着される。これにより、第１筐体部１８２と凸部２０００との間に隙間が形成されるのを防ぎ、電気接続端子１８０間における液体物の流通を阻止することができる。
【００６１】
凸部２０００の形状は、既に述べたように２つの電気接続端子１８０間を遮蔽することができるような形状であればよい。例えば図２３（Ａ）〜（Ｃ）に示すように、略直方体状（断面矩形状）の凸部２０００を採用することができる。この場合、凸部２０００の前面２００１と幅方向の２つの側面２００２とが電源ユニット１８の底面に略垂直な面とされ、凸部２０００の上面２００３が電源ユニット１８の底面に略平行な面とされる。また、断面半円形状や断面多角形状（三角形状、五角形状、六角形状等）の凸部を採用することもできる。
【００６２】
また、上記実施形態においては、レンズ１０として電気活性レンズを用いた例を示したがこれに限られるものではない。例えば、レンズ１０として、色透過を変化させるエレクトロクロミックレンズ、温度で色を変化させるエレクトロサーモクロミックレンズ、レンズを加熱することで曇りを減らす曇り止めレンズ、電荷によってほこりを除去する静電気防止レンズ、内蔵電気ディスプレイを備えたレンズ等種々のレンズを用いることができる。さらに、電子眼鏡１としては、カメラ、センサ又は通信機能等を内蔵して電力の供給を受けてこれらの駆動を制御する眼鏡であってもよい。
【００６３】
また例えば、上記実施形態においては、左電源ユニット１８Ｌとして、右電源ユニット１８Ｒと同一のものを使用し、左電源ユニット１８Ｌを予備電源として使用する態様を示したが、これに限られるものではない。例えば、左電源ユニット１８Ｌを右電源ユニット１８Ｒの筐体の形状と同一にし、かつ、筐体から充電式のボタン電池１８８Ａ、１８８Ｂを取り外し可能にしつつも、電気接続端子１８０を備えないようにして、予備電池の収容室としてのみ機能させるようにしてもよい。
【００６４】
また例えば、左テンプル１６Ｌ内に左電源ユニット１８Ｌと電気的に接続可能な電子素子を設けて、右電源ユニット１８Ｒと左電源ユニット１８Ｌそれぞれから電子眼鏡１に電力を供給するようにしてもよい。
【００６５】
また例えば、上記実施形態においては、電源ユニット１８に収容される電池として充電式のボタン電池１８８Ａ、１８８Ｂ電池を示したがこれに限られず、一次電池でもよいし、また形状も円形でなくてもよい。
【００６６】
また例えば、上記実施形態においては、充電器としてＵＳＢを用いた例を示したがこれに限られるものではなく、コンセントに直接接続する電源ポートを備える充電器を用いてもよい。
【００６７】
また、上記実施形態においては、電子眼鏡１の右テンプル１６Ｒに右電源ユニット１８Ｒを装着可能とし、電子眼鏡１の左テンプル１６Ｌに左電源ユニット１８Ｌを装着可能とする構造を採用した例を示したが、何れか一方のテンプルのみに電源ユニットを装着可能とする構造を採用してもよい。図２４〜図２７は、他の実施形態に係る電子眼鏡１Ａを示すものであり、図２４は前方斜視図、図２５は背面図、図２６は平面図、図２７は底面図である（正面図及び左右側面図については、図２、図６、図７と重複するため省略した）。図２４〜図２７に示すように、右テンプル１６Ｒのみに電源ユニット１８Ｒを装着可能な右収容室１６２Ｒを設け、左テンプル１６Ｌにはそのような収容室を設けないこともできる。
【００６８】
また、上記実施形態においては、アイウェアとして電子眼鏡１を例示したが、本発明が適用されるアイウェアはこれに限られるものではなく、ユーザの頭部、耳又は眼付近に装着されるアイウェアであればよい。アイウェアの例としては、レンズのようにユーザの視力向上のための補助機構を有するいわゆる眼鏡（電子眼鏡を含む）や、ユーザの視界又は眼に対して情報提示を行う機構を有する種々のデバイス（例えば眼鏡型ウェアラブル端末、ヘッドマウントディスプレイ等）を挙げることができる。
【符号の説明】
【００６９】
１……電子眼鏡（アイウェア）、１０……レンズ、１２……フレーム、１４……ヒンジ、１４Ａ……ヒンジカバー、１６……テンプル、１６Ｌ……左テンプル、１６Ｒ……右テンプル、１６０……接触部、１６２……収容室（収容部）、１６２Ｒ……右収容室、１６２Ｌ……左収容室、１６２０……嵌合部、１６２０Ａ……第１嵌合部、１６２０Ｂ……突出部、１６２０Ｃ……第２嵌合部、１８……電源ユニット、１８Ｕ……電源ユニット上面、１８Ｄ……電源ユニット下面、１８Ｌ……左電源ユニット、１８Ｒ……右電源ユニット、１８Ｚ……平坦な部材、１８０……電気接続端子、１８１…筐体部、１８２……第１筐体部、１８２０……側面、１８２２……凸部、１８４……幅狭部、１８４０……側面、１８６……第２筐体部、１８６０……側面、１８６４……係合突起、１８８Ａ……ボタン電池、１８８Ｂ……ボタン電池、２０……電子素子、２００……制御モジュール、２０２……可撓ケーブル、２０４……可撓ケーブル、２０６……電源端子、２０００…凸部、３……充電器、３０……収容室、３０Ａ……嵌合部
【図１】
2017110908.tif 000003
【図２】
2017110908.tif 000004
【図３】
2017110908.tif 000005
【図４】
2017110908.tif 000006
【図５】
2017110908.tif 000007
【図６】
2017110908.tif 000008
【図７】
2017110908.tif 000009
【図８】
2017110908.tif 000010
【図９】
2017110908.tif 000011
【図１０】
2017110908.tif 000012
【図１１】
2017110908.tif 000013
【図１２】
2017110908.tif 000014
【図１３】
2017110908.tif 000015
【図１４】
2017110908.tif 000016
【図１５】
2017110908.tif 000017
【図１６】
2017110908.tif 000018
【図１７】
2017110908.tif 000019
【図１８】
2017110908.tif 000020
【図１９】
2017110908.tif 000021
【図２０】
2017110908.tif 000022
【図２１】
2017110908.tif 000023
【図２２】
2017110908.tif 000024
【図２３】
2017110908.tif 000025
【図２４】
2017110908.tif 000026
【図２５】
2017110908.tif 000027
【図２６】
2017110908.tif 000028
【図２７】
2017110908.tif 000029
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
ユーザからの入力を受け付ける入力部と、
テンプルに収容され、前記入力部からの入力に応じた電気制御を行う制御モジュールと、
前記テンプルの後端部に位置し、前記テンプルの内側表面及びこれに連続する背面に開口して、電源ユニットを着脱可能に収容する収容部と、
第１の電気接続端子と電池を収容する筐体部とを有する電源ユニットと、
前記テンプルに収容され、前記収容部に収容された前記電源ユニットの前記第１の電気接続端子と電気的に接続されて前記電源ユニットからの電力を前記制御モジュールへ供給する第２の電気接続端子と、を備え、
前記収容部は、弾性変形して前記電源ユニットに嵌合する突出部を有し、
前記筐体部に、前記電源ユニットが前記収容部に装着された際に前記突出部が嵌合する幅狭部が設けられ、
前記電源ユニットが前記収容部に装着された状態において、前記筐体部の側面は前記突出部により覆われ、前記電源ユニットが前記収容部に挿入される方向における前記電源ユニットの前記筐体部の後面及び前記後面に隣接する上面は、前記テンプルの前記背面及び前記内側表面からそれぞれ露出して前記テンプルの表面の一部を形成し、前記テンプルの前記内側表面の反対側に位置する前記テンプルの外側表面には前記電源ユニットが露出されない、アイウェア。
【請求項２】
前記電源ユニットの下面は、滑らかな平坦面を有する平坦部材で形成される、請求項１に記載のアイウェア。
【請求項３】
前記電源ユニットが前記収容部に装着された状態において、前記平坦部材は前記テンプルの背面から露出され、露出された前記平坦部材の色は、少なくとも前記テンプルとは異なる色で着色される、請求項２に記載のアイウェア。
【請求項４】
前記筐体部の前記上面には、幅方向に延びる凹部又は凸部が設けられている、請求項２又は３に記載のアイウェア。
【請求項５】
前記筐体部は、第１の電池を保持し平面視円弧状の側面を有する第１筐体部と、第２の電池を保持する第２筐体部と、を有し、
前記幅狭部は、前記第１筐体部の前記側面に接続しかつ前記側面よりも幅狭の側面を有する、請求項１から４の何れか一項に記載のアイウェア。
【請求項６】
前記電源ユニットの厚みは、前記第１筐体部から前記第２筐体部に向かって徐々に大きくなる、請求項５に記載のアイウェア。
【請求項７】
前記第２筐体部の側面の幅は、前記幅狭部の側面の幅よりも大きい、請求項５又は６に記載のアイウェア。
【請求項８】
前記第１の電池は、ボタン電池である、請求項５から７の何れか一項に記載のアイウェア。
【請求項９】
前記電気接続端子は、所定の間隔をおいて２つ設けられており、
２つの前記電気接続端子の間には、所定の高さを有する凸部が設けられている、請求項１から８の何れか一項に記載のアイウェア。
【請求項１０】
前記凸部は、前記電源ユニットの前端から前記筐体部の側面の前部にかけて延在し、前記前部に当接又は固着される、請求項９に記載のアイウェア。
【請求項１１】
テンプルに収容された制御モジュールと、
前記テンプルの後端部に位置し、前記テンプルの内側表面及びこれに連続する背面に開口して、電源ユニットを着脱可能に収容する収容部と、
第１の電気接続端子と電池を収容する筐体部とを有する電源ユニットと、
前記テンプルに収容され、前記収容部に収容された前記電源ユニットの前記第１の電気接続端子と電気的に接続されて前記電源ユニットからの電力を前記制御モジュールへ供給する第２の電気接続端子と、を備え、
前記電源ユニットは、前端から後端に向かって、前記第１の電気接続端子と、第１の電池を保持し平面視円弧状の側面を有する第１筐体部と、前記円弧状の側面に接続しかつ前記円弧状の側面よりも幅狭の側面を有する幅狭部と、前記幅狭の側面に接続する側面を有し第２の電池を保持する第２筐体部と、を備え、
前記収容部は、弾性変形して前記電源ユニットの幅狭部に嵌合する突出部を有し、
前記電源ユニットが前記収容部に装着された状態において、前記第１筐体部の前記平面視円弧上の側面、前記幅狭部の幅狭の側面及び前記第２筐体部の前側面は、前記突出部により覆われ、前記電源ユニットが前記収容部に挿入される方向における前記電源ユニットの前記筐体部の後面及び前記後面に隣接する上面は、前記テンプルの前記背面及び前記内側表面からそれぞれ露出して前記テンプルの表面の一部を形成し、前記テンプルの前記内側表面の反対側に位置する前記テンプルの外側表面には前記電源ユニットが露出されない、電子眼鏡。
【請求項１２】
前記電源ユニットの厚みは、前記第１筐体部から前記第２筐体部に向かって徐々に大きくなる、請求項１１に記載の電子眼鏡。
【請求項１３】
前記第１筐体部の上面に、幅方向に延びる凹部又は凸部を有する、請求項１２に記載の電子眼鏡。
【請求項１４】
前記第２筐体部の側面の幅は、前記幅狭部の側面の幅よりも大きい、請求項１１から１３の何れか一項に記載の電子眼鏡。
【請求項１５】
前記第１の電池は、ボタン電池である、請求項１１から１４の何れか一項に記載の電子眼鏡。
【国際調査報告】
2017110908.tif 000030
2017110908.tif 000031
2017110908.tif 000032
2017110908.tif 000033